(57)【要約】【課題】  記録結果の飛び散りを防止するインクジェット記録装置を提供する。【解決手段】  インクジェット記録装置に設けられている飛び散り防止設定ボタンの操作により「飛び散り防止印刷モード」及び「通常印刷モード」の選択をする。「飛び散り防止印刷モード」が選択されている場合には（Ｓ４：ＹＥＳ）、パーソナルコンピュータ２００で作成された印刷データを、まずシアンインク，マゼンタインク，イエローインク（Ｌ＊値が４０を越えるインク）のみで印刷し（Ｓ５〜Ｓ７）、その後、被記録媒体を保持しているプラテンを印刷開始位置へ移動させ（Ｓ９）、前記３色で印刷された被記録媒体の上からブラックインク（Ｌ＊値が４０以下のインク）のみで再度印刷データを印刷する（Ｓ１０〜Ｓ１２）。【選択図】  図９
2005199523.tif 000002
【特許請求の範囲】
【請求項１】
複数色のインクをインクジェットヘッドから吐出して、被記録媒体に記録を行うインクジェット記録装置において、
インクのＬ＊ａ＊ｂ＊値測定におけるＬ＊値が４０を越えるインクをインクジェットヘッドから吐出して、１行又は複数行の記録を行うように制御する第１記録制御手段と、
当該第１記録制御手段により記録が行われた後に、前記第１記録制御手段により記録された行と同じ行を、Ｌ＊値が４０以下であるインクをインクジェットヘッドから吐出して記録を行うように制御する第２記録制御手段と
を備えたことを特徴とするインクジェット記録装置。
【請求項２】
複数色のインクをインクジェットヘッドから吐出して、被記録媒体に記録を行うインクジェット記録装置において、
インクのＬ＊ａ＊ｂ＊値測定におけるＬ＊値が４０を越えるインクを、Ｌ＊値が４０以下であるインクよりも先に前記インクジェットヘッドから前記被記録媒体へ吐出し、インクの吐出時間に差を持たせる制御が行われる第１記録モードと、
前記Ｌ＊値が４０を越えるインクと前記Ｌ＊値が４０以下であるインクとの被記録媒体へのインクの吐出時間に差を持たせる制御が行われない第２記録モードと
が設けられており、
前記第１記録モード又は前記第２記録モードを選択する記録モード選択手段と、
当該記録モード選択手段により前記第１記録モードが選択されている場合には、Ｌ＊値が４０を越えるインクを、Ｌ＊値が４０以下であるインクよりも先に前記インクジェットヘッドから前記被記録媒体へ吐出させる記録制御手段と
を備えたことを特徴とするインクジェット記録装置。
【請求項３】
複数色のインクをインクジェットヘッドから吐出して、被記録媒体に記録を行うインクジェット記録装置において、
インクのＬ＊ａ＊ｂ＊値測定におけるＬ＊値が６０以上であるインクをインクジェットヘッドから吐出して、１行又は複数行の記録を行うように制御する第１記録制御手段と、
当該第１記録制御手段により記録が行われた後に、前記第１記録制御手段により記録された行と同じ行を、Ｌ＊値が６０未満であるインクをインクジェットヘッドから吐出して記録を行うように制御する第２記録制御手段と
を備えたことを特徴とするインクジェット記録装置。
【請求項４】
複数色のインクをインクジェットヘッドから吐出して、被記録媒体に記録を行うインクジェット記録装置において、
インクのＬ＊ａ＊ｂ＊値測定におけるＬ＊値が６０以上であるインクを、Ｌ＊値が６０未満であるインクよりも先に前記インクジェットヘッドから前記被記録媒体へ吐出し、インクの吐出時間に差を持たせる制御が行われる第１記録モードと、
前記Ｌ＊値が６０以上であるインクと前記Ｌ＊値が６０未満であるインクとの被記録媒体へのインクの吐出時間に差を持たる制御が行われない第２記録モードと
が設けられており、
前記第１記録モード又は前記第２記録モードを選択する記録モード選択手段と、
当該記録モード選択手段により、前記第１記録モードが選択されている場合には、Ｌ＊値が６０以上であるインクを、Ｌ＊値が６０未満であるインクよりも先に前記インクジェットヘッドから前記被記録媒体へ吐出させる記録制御手段と
を備えたことを特徴とするインクジェット記録装置。
【請求項５】
前記Ｌ＊値が４０以下であるインクは、ブラックインクであることを特徴とする請求項１又は２に記載のインクジェット記録装置。
【請求項６】
前記Ｌ＊値が６０以上であるインクは、イエローインクであることを特徴とする請求項３又は４に記載のインクジェット記録装置。
【発明の詳細な説明】
【技術分野】
【０００１】
本発明は、インクジェット記録装置に関するものであり、詳細には、記録結果の飛び散りを防止するインクジェット記録装置に関するものである。
【背景技術】
【０００２】
従来、非記録媒体にインクを噴射して記録を行うインクジェット印刷装置では、インク供給源からインクジェットヘッドの複数の噴射チャンネルにインクを導き、発熱素子、圧電素子等のアクチュエータを選択的に駆動させて、噴射チャンネルの先端に設けられた噴射ノズルからインクの噴射を行っている。カラー画像を形成する場合には、画像を構成する各画素について、例えばシアン（Ｃ）、マゼンタ（Ｍ）、イエロー（Ｙ）、の色の三原色にそれぞれ分解し、各色毎に濃度を調整して噴射したインクの混合によってカラー画素を形成し、黒色の画素や色の成分として黒色を含む画素についてはブラック（Ｋ）のインクを噴射して形成することが一般的である。
【０００３】
発射ノズルから噴射されたインクは、被記録媒体に着弾した際に、着弾点の周囲にインクの飛び散りを発生させる。そこで、飛散したインク滴が、着弾点やその近隣に着弾した他の色のインク滴の上や間に落ち、それらのインク滴の間を進み広がってゆく。このインク滴の広がりが大きくにじんでしまうため、その結果、記録結果として望まれていない所謂「飛び散り」となる。そこで、「飛び散り」を防止するために、インクの着弾速度を制御してインク滴の飛散を抑制する方法（例えば、特許文献１）や、記録密度の高い色順にインクを噴射して画像の飛び散りを目立たなくさせたりする方法（例えば、特許文献２）や、飛び散り防止剤を含有するインクで画像の縁取り及び異なる色が隣り合う境界線を印刷する方法（例えば、特許文献３）が提案されている。
【特許文献１】特開平９−５８０２２号公報
【特許文献２】特開平６−２４００９号公報
【特許文献３】特開平９−２９６３８０号公報
【発明の開示】
【発明が解決しようとする課題】
【０００４】
しかしながら、特許文献１及び特許文献２のような方法では正確且つ精密な吐出信号のコントロールが必要であり、特許文献３のような方法では飛び散り防止剤を含有するインクで印刷をするという前処理の手間とコストが発生するという問題点がある。
【０００５】
本発明は、上述の問題点を解決するためになされたものであり、記録結果の飛び散りを防止するインクジェット記録装置を提供しようとするものである。
【課題を解決するための手段】
【０００６】
上記課題を解決するため、請求項１に係る発明のインクジェット記録装置は、複数色のインクをインクジェットヘッドから吐出して、被記録媒体に記録を行うインクジェット記録装置であって、インクのＬ＊ａ＊ｂ＊値測定におけるＬ＊値が４０を越えるインクをインクジェットヘッドから吐出して、１行又は複数行の記録を行うように制御する第１記録制御手段と、当該第１記録制御手段により記録が行われた後に、前記第１記録制御手段により記録された行と同じ行を、Ｌ＊値が４０以下であるインクをインクジェットヘッドから吐出して記録を行うように制御する第２記録制御手段とを備えている。
【０００７】
また、請求項２に係る発明のインクジェット記録装置は、複数色のインクをインクジェットヘッドから吐出して、被記録媒体に記録を行うインクジェット記録装置であって、インクのＬ＊ａ＊ｂ＊値測定におけるＬ＊値が４０を越えるインクを、Ｌ＊値が４０以下であるインクよりも先に前記インクジェットヘッドから前記被記録媒体へ吐出し、インクの吐出時間に差を持たせる制御が行われる第１記録モードと、前記Ｌ＊値が４０を越えるインクと前記Ｌ＊値が４０以下であるインクとの被記録媒体へのインクの吐出時間に差を持たせる制御が行われない第２記録モードとが設けられており、前記第１記録モード又は前記第２記録モードを選択する記録モード選択手段と、当該記録モード選択手段により前記第１記録モードが選択されている場合には、Ｌ＊値が４０を越えるインクを、Ｌ＊値が４０以下であるインクよりも先に前記インクジェットヘッドから前記被記録媒体へ吐出させる記録制御手段とを備えている。
【０００８】
また、請求項３に係る発明のインクジェット記録装置は、複数色のインクをインクジェットヘッドから吐出して、被記録媒体に記録を行うインクジェット記録装置であって、インクのＬ＊ａ＊ｂ＊値測定におけるＬ＊値が６０以上であるインクをインクジェットヘッドから吐出して、１行又は複数行の記録を行うように制御する第１記録制御手段と、当該第１記録制御手段により記録が行われた後に、前記第１記録制御手段により記録された行と同じ行を、Ｌ＊値が６０未満であるインクをインクジェットヘッドから吐出して記録を行うように制御する第２記録制御手段とを備えている。
【０００９】
また、請求項４に係る発明のインクジェット記録装置は、複数色のインクをインクジェットヘッドから吐出して、被記録媒体に記録を行うインクジェット記録装置であって、インクのＬ＊ａ＊ｂ＊値測定におけるＬ＊値が６０以上であるインクを、Ｌ＊値が６０未満であるインクよりも先に前記インクジェットヘッドから前記被記録媒体へ吐出し、インクの吐出時間に差を持たせる制御が行われる第１記録モードと、前記Ｌ＊値が６０以上であるインクと前記Ｌ＊値が６０未満であるインクとの被記録媒体へのインクの吐出時間に差を持たる制御が行われない第２記録モードとが設けられており、前記第１記録モード又は前記第２記録モードを選択する記録モード選択手段と、当該記録モード選択手段により、前記第１記録モードが選択されている場合には、Ｌ＊値が６０以上であるインクを、Ｌ＊値が６０未満であるインクよりも先に前記インクジェットヘッドから前記被記録媒体へ吐出させる記録制御手段とを備えている。
【００１０】
また、請求項５に係る発明のインクジェット記録装置では、請求項１又は２に記載の発明の構成に加えて、前記Ｌ＊値が４０以下であるインクは、ブラックインクであることを特徴とする構成となっている。
【００１１】
また、請求項６に係る発明のインクジェット記録装置では、請求項３又は４に記載の発明の構成に加えて、前記Ｌ＊値が６０以上であるインクは、イエローインクであることを特徴とする構成となっている。
【００１２】
尚、Ｌ＊ａ＊ｂ＊値測定は、綿１００％のＴシャツ（Ｈａｎｅｓ（商標）のＢｅｅｆｙ−Ｔ（商標））生地に記録された記録結果を、分光測色計（コニカミノルタセンシング株式会社製ＣＭ−３７００ｄ）により行っている。そこで、他の被記録媒体又は測色計による測色結果を参照する場合には、請求項中のＬ＊値はこの測色環境に准ずる値を取るものとする。
【発明の効果】
【００１３】
請求項１に係る発明のインクジェット記録装置では、第１記録制御手段は、インクのＬ＊ａ＊ｂ＊値測定におけるＬ＊値が４０を越えるインクをインクジェットヘッドから吐出して、１行又は複数行の記録を行うように制御し、第２記録制御手段は、第１記録制御手段により記録が行われた後に、第１記録制御手段により記録された行と同じ行を、Ｌ＊値が４０以下であるインクをインクジェットヘッドから吐出して記録を行うように制御することができる。したがって、Ｌ＊値が４０を越えるインクが先に被記録媒体に着弾し、Ｌ＊値が４０以下であるインクが後から被記録媒体に着弾するので、Ｌ＊値が４０を越えるインクの被記録媒体への着弾時と、Ｌ＊値が４０以下であるインクの被記録媒体への着弾時は同時ではなく、インク滴の着弾に間隔が空くことになる。よって、Ｌ＊値が４０を越えるインクが被記録媒体上に安定してから、Ｌ＊値が４０以下であるインクが被記録媒体上に着弾するので、Ｌ＊値が４０を越えるインクが被記録媒体に着弾した際に周囲に飛散したインク滴の周囲への広がりが抑制されるため、飛散インク滴が飛び散りとして目立たなくなる。
【００１４】
また、請求項２に係る発明のインクジェット記録装置では、インクのＬ＊ａ＊ｂ＊値測定におけるＬ＊値が４０を越えるインクを、Ｌ＊値が４０以下であるインクよりも先にインクジェットヘッドから被記録媒体へ吐出し、インクの吐出時間に差を持たせる制御が行われる第１記録モードと、Ｌ＊値が４０を越えるインクとＬ＊値が４０以下であるインクとの被記録媒体へのインクの吐出時間に差を持たせる制御が行われない第２記録モードとが設けられている。そして、記録モード選択手段は、第１記録モード又は第２記録モードを選択し、記録制御手段は、記録モード選択手段により第１記録モードが選択されている場合には、Ｌ＊値が４０を越えるインクを、Ｌ＊値が４０以下であるインクよりも先にインクジェットヘッドから被記録媒体へ吐出させることができる。したがって、第２記録モードでは、Ｌ＊値が４０を越えるインクとＬ＊値が４０以下であるインクとの被記録媒体へのインクの吐出時間に差を持たせる制御が行われないので、Ｌ＊値が４０を越えるインクとＬ＊値が４０以下であるインクとはほぼ同時に吐出されて被記録媒体へ着弾するため、Ｌ＊値が４０を越えるインクが被記録媒体に着弾した際に周囲に飛散したインク滴は周囲に広がり、飛散インク滴の飛び散りが発生する。しかし、第１記録モードでは、Ｌ＊値が４０を越えるインクとＬ＊値が４０以下であるインクとの被記録媒体へのインクの吐出時間に差がある、すなわち、Ｌ＊値が４０を越えるインクの着弾時からＬ＊値が４０以下であるインクの着弾時までに間隔が空くので、Ｌ＊値が４０を越えるインクとＬ＊値が４０以下であるインクとが同時に被記録媒体に着弾することがない。よって、第１記録モードでは、Ｌ＊値が４０を越えるインクが被記録媒体上に安定してから、Ｌ＊値が４０以下であるインクが被記録媒体上に着弾するので、Ｌ＊値の４０を越えるインクが被記録媒体に着弾した際に周囲に飛散したインク滴が周囲に広がらないため、飛散インク滴の飛び散りの発生が抑えられる。しかしながら、第１記録モードでは、吐出時間に差を持たせるため、その差の時間分だけ第２記録モードよりも記録時間がかかることになる。また、記録される色彩の色の並びによっては、Ｌ＊値が４０を越えるインクの飛散インク滴の飛び散りが発生していても、視覚的に飛び散りが目立たない場合もある。そこで、本発明のインクジェット記録装置では、記録モード選択手段により、第１記録モード又は第２記録モードを選択することができるので、必要な場合にのみ第１記録モードを選択して、Ｌ＊値の４０を越えるインクが被記録媒体に着弾した際に周囲に飛散したインク滴の目立たない記録結果を得ることができる。
【００１５】
また、請求項３に係る発明のインクジェット記録装置では、第１記録制御手段は、インクのＬ＊ａ＊ｂ＊値測定におけるＬ＊値が６０以上であるインクをインクジェットヘッドから吐出して、１行又は複数行の記録を行うように制御し、第２記録制御手段は、第１記録制御手段により記録が行われた後に、第１記録制御手段により記録された行と同じ行を、Ｌ＊値が６０未満であるインクをインクジェットヘッドから吐出して記録を行うように制御することができる。したがって、Ｌ＊値が６０以上であるインクが先に被記録媒体に着弾し、Ｌ＊値が６０未満であるインクが後から被記録媒体に着弾するので、Ｌ＊値が６０以上であるインクの被記録媒体への着弾時と、Ｌ＊値が６０未満であるインクの被記録媒体への着弾時は同時ではなく、インク滴の着弾に間隔が空くことになる。よって、Ｌ＊値が６０以上であるインクが被記録媒体上に安定してから、Ｌ＊値が６０未満であるインクが被記録媒体上に着弾するので、Ｌ＊値が６０以上であるインクが被記録媒体に着弾した際に周囲に飛散したインク滴の周囲への広がりが抑制されるため、飛散インク滴が飛び散りとして目立たなくなる。
【００１６】
また、請求項４に係る発明のインクジェット記録装置では、インクのＬ＊ａ＊ｂ＊値測定におけるＬ＊値が６０以上であるインクを、Ｌ＊値が６０未満であるインクよりも先にインクジェットヘッドから被記録媒体へ吐出し、インクの吐出時間に差を持たせる制御が行われる第１記録モードと、Ｌ＊値が６０以上であるインクとＬ＊値が６０未満であるインクとの被記録媒体へのインクの吐出時間に差を持たる制御が行われない第２記録モードとが設けられている。そして、記録モード選択手段は、第１記録モード又は第２記録モードを選択し、記録制御手段は、記録モード選択手段により、第１記録モードが選択されている場合には、Ｌ＊値が６０以上であるインクを、Ｌ＊値が６０未満であるインクよりも先にインクジェットヘッドから被記録媒体へ吐出させることができる。したがって、第２記録モードでは、Ｌ＊値が６０以上であるインクとＬ＊値が６０未満であるインクとの被記録媒体へのインクの吐出時間に差を持たせる制御が行われないので、Ｌ＊値が６０以上であるインクとＬ＊値が６０未満であるインクとはほぼ同時に吐出されて被記録媒体へ着弾するため、Ｌ＊値が６０以上であるインクが被記録媒体に着弾した際に周囲に飛散したインク滴は周囲に広がり、飛散インク滴の飛び散りが発生する。しかし、第１記録モードでは、Ｌ＊値が６０以上であるインクとＬ＊値が６０未満であるインクとの被記録媒体へのインクの吐出時間に差がある、すなわち、Ｌ＊値が６０以上であるインクの着弾時からＬ＊値が６０未満であるインクの着弾時までに間隔が空くので、Ｌ＊値が６０以上であるインクとＬ＊値が６０未満であるインクとが同時に被記録媒体に着弾することがない。よって、第１記録モードでは、Ｌ＊値が６０以上であるインクが被記録媒体上に安定してから、Ｌ＊値が６０未満であるインクが被記録媒体上に着弾するので、Ｌ＊値の６０以上であるインクが被記録媒体に着弾した際に周囲に飛散したインク滴が周囲に広がらないため、飛散インク滴の飛び散りの発生が抑えられる。しかしながら、第１記録モードでは、吐出時間に差を持たせるため、その差の時間分だけ第２記録モードよりも記録時間がかかることになる。また、記録される色彩の色の並びによっては、Ｌ＊値が６０以上であるインクの飛散インク滴の飛び散りが発生していても、視覚的に飛び散りが目立たない場合もある。そこで、本発明のインクジェット記録装置では、記録モード選択手段により、第１記録モード又は第２記録モードを選択することができるので、必要な場合にのみ第１記録モードを選択して、Ｌ＊値の６０以上であるインクが被記録媒体に着弾した際に周囲に飛散したインク滴の目立たない記録結果を得ることができる。
【００１７】
また、請求項５に係る発明のインクジェット記録装置では、請求項１又は２に記載の発明の効果に加えて、Ｌ＊値が４０以下であるインクは、ブラックインクとすることができる。したがって、ブラックインクが被記録媒体に着弾した際に周囲に飛散するインク滴の飛び散りを抑制することができる。
【００１８】
また、請求項６に係る発明のインクジェット記録装置では、請求項３又は４に記載の発明の効果に加えて、Ｌ＊値が６０以上であるインクは、イエローインクとすることができる。したがって、イエローインクへの他のインクの飛び散りを抑制することができる。
【発明を実施するための最良の形態】
【００１９】
以下、本発明の第１の実施の形態を図面を参照して説明する。本発明に係るインクジェット記録装置として、パーソナルコンピュータ２００（図６参照）に接続され、パーソナルコンピュータ２００で作成された印刷データを受信し、その印刷データの印刷を行う公知の布帛印刷用のインクジェットプリンタであるインクジェット記録装置１（図１参照）を例に挙げて説明する。尚、本実施の形態のインクジェット記録装置１では、ＣＭＹＫ方式による４種類のインク、シアンインク，マゼンタインク，イエローインク，ブラックインクが用いられている。
【００２０】
本発明では、インクジェット記録装置における、インクの飛び散り、その中でも特に飛び散りの目立つ黄色の中の黒の飛び散りを防止するために、インクの吐出順序を制御する。そこで、第１の実施の形態では、インクジェット記録装置１に飛び散り防止印刷モード選択手段を設け、「飛び散り防止印刷モード」となっている場合には、パーソナルコンピュータ２００から送信された印刷データを、まずシアンインク，マゼンタインク，イエローインクの３色のみで印刷を行い、全て印刷が終了した後に、再度印刷データの最初からブラックインク１色のみで印刷を行う。尚、「飛び散り防止印刷モード」となっていない場合を「通常印刷モード」と呼ぶこととする。
【００２１】
まず、インクジェット記録装置１について図１を参照して説明する。図１は、インクジェット記録装置１の全体的な構成を示した斜視図である。図１に示すように、インクジェット記録装置１は、左右方向を長手方向とする略直方体形状の筐体２を有し、その底面の略中央に、前後方向に向かう二本のレール３が列設されている。二本のレール３は、筐体２の垂直方向に立ち上げられた図示外の基部上にそれぞれ支持されており、その上部に、レール３に沿って筐体２の前後方向に移動可能な平板状のプラテン支持台（図示外）を支えている。そして、プラテン支持台の略中央に垂直に立ち上げられた支柱の上端には、取り換え可能なプラテン５が固定されている。
【００２２】
プラテン５は、平面視、筐体２の前後方向を長手方向とする略長方形状の板体であり、その上面に、例えばＴシャツなどの布帛からなる被記録媒体を水平に載置するためのものである。プラテン５の上面には、印刷面を緊張状態にして載置されるＴシャツ等の載置位置が印刷中にずれたりしないようにするため、滑り止め部材（図示外）が設けられている。また、プラテン５とプラテン支持台との間の略中間の位置にて支柱に固定されたトレー４は、プラテン５の上面と略平行な底面を有し、平面視、その外周がプラテン５より一回り大きめに構成されたトレーである。このトレー４は、利用者がＴシャツ等をプラテン５に載置する際に、Ｔシャツのそで等を受けて筐体２の底面には落ちないように保護するためのものである。
【００２３】
また、プラテン支持台を移動させるためにレール３が設けられたプラテン駆動機構６の後端部にはプラテン駆動モータ７が設けられて、このプラテン駆動モータ７の駆動によって、プラテン支持台がレール３に沿って筐体２の前後方向に移動する。すなわち、プラテン駆動モータ７の駆動軸と、レール３の前端（筐体２の前面側にあたるレール３の端部）付近に設けられたプーリー（図示外）との間に駆動ベルト（図示外）が架け渡されており、その駆動ベルトに固定されたプラテン支持台が、ステッピングモータであるプラテン駆動モータ７の駆動によってレール３に沿って筐体２の前後方向に往復移動されるようになっている。
【００２４】
また、筐体２の前後方向の略中央で、かつ、プラテン５の上方の位置にて、筐体２の両側面間には、インクジェットヘッド２１ａ〜２１ｄを搭載したキャリッジ２０の移動を案内するためのガイドレール９が架設されている。このガイドレール９の左端付近に設けられたキャリッジモータ２４と、右端付近に設けられたプーリー２５との間に架設されているキャリッジベルト２６は、ガイドレール９よりも下方の位置にて筐体２の左右にわたって配置されている。キャリッジベルト２６はキャリッジ２０の背面に固定されており、キャリッジモータ２４の駆動によって、同じく背面に設けられた係合部（図示外）に係合されたガイドレール９に沿って、キャリッジ２０が筐体２の左右方向に往復移動されるようになっている。キャリッジモータ２４はＤＣモータであり、ガイドレール９に設けられたリニアエンコーダ（図示外）からの出力に基づき、キャリッジ２０の位置検出が行われる。
【００２５】
また、本実施の形態のインクジェット記録装置１では、シアンインク，マゼンタインク，イエローインク，ブラックインクが用いられている。そこで、インクジェット記録装置１の左側面には、各インクを収容したインクカートリッジを着脱可能に収容するためのインクカートリッジ収容部３０ａ〜３０ｄがそれぞれ設けられている。図１に示すように、筐体２の前側から順にインクカートリッジ収納部３０ａ、インクカートリッジ収納部３０ｂ、インクカートリッジ収納部３０ｃ、インクカートリッジ収納部３０ｄの４つのインクカードリッジ収納部３０ａ〜３０ｄが設けられており、インクカートリッジ収納部３０ａ〜３０ｄには、それぞれブラックインクのインクカートリッジ、シアンインクのインクカートリッジ、マゼンタインクのインクカートリッジ、イエローインクのインクカートリッジが収容されている。
【００２６】
そして、各インクカートリッジ収容部３０ａ〜３０ｄには、インク供給用チューブ１０ａ，１０ｂ，１０ｃ，１０ｄが連結されており、ガイド部材４０及びチューブ支持部材６０を経由して、各色のインクジェットヘッド２１ａ〜２１ｄに接続されている。尚、このインク供給用チューブ１０ａ〜１０ｄは、ポリエチレン等からなる可撓性のチューブであり、インクジェット記録装置１において、キャリッジ２０の移動等に対応して屈曲や捩れが生じるような柔軟性を有する。また、ガイド部材４０は、筐体２の左右方向の略中央であって、プラテン５の上方の位置に設けられ、キャリッジ２０の背後において４本のインク供給用チューブ１０を支持するものである。そして、チューブ支持部材６０は、キャリッジ２０の上端に設けられて４本のインク供給用チューブ１０ａ〜１０ｄを支持するものである。
【００２７】
キャリッジ２０には、左側からインクジェットヘッド２１ａ、インクジェットヘッド２１ｂ、インクジェットヘッド２１ｃ、インクジェットヘッド２１ｄの順でインクジェットヘッド２１ａ〜２１ｄが搭載されている。インクジェットヘッド２１ａ〜２１ｄは、各インクを噴射するための、噴射チャンネル（図示外）を例えば１２８個ずつそれぞれ備えており、各噴射チャンネルには、各々個別に駆動される圧電アクチュエータ（図示外）が設けられ、各噴射チャンネルに対応してインクジェットヘッド２１ａ〜２１ｄの底面に孔設された微細な噴射ノズル（図示外）から下向きに、インクの液滴が噴射されるように制御されている。
【００２８】
よって、インクカートリッジ収容部３０ａに収容されているブラックインクが、インク供給用チューブ１０ａによってインクジェットヘッド２１ａに供給され、噴射ノズルから噴射される。そして、インクカートリッジ収容部３０ｂに収容されているシアンインクが、インク供給用チューブ１０ｂによってインクジェットヘッド２１ｂに供給され、噴射ノズルから噴射される。そして、インクカートリッジ収容部３０ｃに収容されているマゼンタインクが、インク供給用チューブ１０ｃによってインクジェットヘッド２１ｃに供給され、噴射ノズルから噴射される。そして、インクカートリッジ収容部３０ｄに収容されているイエローインクが、インク供給用チューブ１０ｄによってインクジェットヘッド２１ｄに供給され、噴射ノズルから噴射される。
【００２９】
また、キャリッジ２０がガイドレール９の右端に移動した位置には、各インクジェットヘッド２１ａ〜２１ｄのノズル面に対して密着・離脱が可能な吸引キャップ２３を有するパージユニット２２が設けられている。パージユニット２２には吸引ポンプ（図示外）が設けられており、各吸引キャップ２３がインクジェットヘッド２１ａ〜２１ｄに密着しているときに、吸引キャップ２３を介してインクの吸引を行うことが可能となっている。また、印刷が行われないときには吸引キャップ２３でインクジェットヘッド２１ａ〜２１ｄのノズル面が覆われ、インクの乾燥が防止されている。
【００３０】
尚、ガイドレール９よりも前方の位置にて筐体２の左右にわたってクリアランスセンサ８が設けられている。クリアランスセンサ８は、記録実行時にプラテン５がレール３に沿って筐体２の前方から後方へ移動する際に、プラテン５に載置された被記録媒体の皺やゴミなどの障害物を検出する。
【００３１】
また、筐体２の右側手前の位置には、インクジェット記録装置１の操作を行うための操作パネル２８が設けられている。ここで、図２を参照して、操作パネル２８について説明する。図２は、操作パネル２８のイメージ図である。図２に示すように、操作パネル２８の上部には、左から順に電源ランプ１７２、データランプ１７３、エラーランプ１７４が設けられている。この電源ランプ１７２はインクジェット記録装置１に電源が投入されている際に点灯し、データランプ１７３はパーソナルコンピュータ２００から印刷データを受信している際に点灯し、エラーランプ１７４はなんらかのエラーが発生している際に点灯する。そして、電源ランプ１７２の下には、プラテン送りボタン１８８が設けれており、このプラテン送りボタン１８８が押下されるとプラテン５が被記録媒体であるＴシャツ等の布帛をセット又は取り外し可能な位置にプラテン５が移動する。
【００３２】
さらに、プラテン送りボタン１８８の下部にはディスプレイ１７５が設けられている。このディスプレイ１７５には、パーソナルコンピュータ２００から受信中であったり、受信後印刷待機中であったり、印刷中であったり、印刷が完了したりした、印刷データのデータ名やサイズ等の情報が表示される。また、各種設定を行うためのメニュー画面（図示外）が表示されたり、エラー発生時にはエラーの内容が表示されたりする。また、ディスプレイ１７５の下には、左から順に左矢印ボタン１８５、確定ボタン１８７、右矢印ボタン１８６が設けられ、右矢印ボタン１８６の右にはメニューボタン１８４が設けられている。このメニューボタン１８４が押下されるとディスプレイ１７５にメニュー画面が表示され、左矢印ボタン１８５は、ディスプレイ１７５に表示されているカーソルを左へ移動させ、右矢印ボタン１８６は右へ移動させる。また、確定ボタン１８７が押下されると、カーソルが選択している項目に確定される。
【００３３】
また、操作パネル２８の下部には印刷開始を指示するための印刷ボタン１８２が設けられており、メニューボタン１８４の上には中止ボタン１８３が設けられており、印刷ボタン１８２が押下されると、パーソナルコンピュータ２００から受信した印刷データの印刷が開始される。そして、印刷中に中止ボタン１８３が押下されると印刷が中止される。また、ディスプレイ１７５の右には、飛び散り防止設定ボタン１８１及び飛び散り防止設定ランプ１７１が設けられている。飛び散り防止設定ランプ１７１は、「飛び散り防止印刷モード」となっている場合に点灯する。そして、飛び散り防止設定ボタン１８１が押下されると、「通常印刷モード」となっていない際には「飛び散り防止印刷モード」となり、「飛び散り防止印刷モード」となっている際には「飛び散り防止印刷モード」が解除されて「通常印刷モード」となる。
【００３４】
次に、図３を参照して、インクジェット記録装置１の電気的構成について説明する。図３は、本実施の形態のインクジェット記録装置１の電気的な構成を示すブロック図であり、図４は、ＲＯＭ１２０の記憶エリアを示す模式図であり、図５は、ＲＡＭ１３０の記憶エリアを示す模式図である。図３に示すように、インクジェット記録装置１の制御を司るＣＰＵ１１０が設けられており、ＣＰＵ１１０には、バス１９０を介し、ＣＰＵ１１０が実行するインクジェット記録装置１の動作を制御するための制御プログラム等を記憶したＲＯＭ１２０と、データを一時的に記憶するＲＡＭ１３０とが接続されている。
【００３５】
またＣＰＵ１１０には、バス１９０を介して、インク噴射を行うインクジェットヘッド２１ａ〜２１ｄの各噴射チャンネルに設けられた圧電アクチュエータ（図示外）を駆動させるためのヘッド駆動部１４０と、インクジェットヘッド２１ａ〜２１ｄを搭載したキャリッジ２０を駆動するためのキャリッジモータ２４、印刷時に被印刷対象の布帛であるＴシャツを保持するプラテン５を送り出すタイミングや速度を調整するプラテンローラ（図示外）を駆動するためのプラテン駆動モータ７をそれぞれ制御して駆動させるためのモータ駆動部１５０と、パーソナルコンピュータ２００を含めた外部機器にＵＳＢケーブル（図示外）で接続して通信が行えるようにするためのＵＳＢインタフェース１６０とが接続されている。
【００３６】
さらに、操作パネル２８（図１，図２参照）に設けられたディスプレイ１７５や飛び散り防止設定ランプ１７１、電源ランプ１７２、データランプ１７３、エラーランプ１７４の表示処理を行う表示制御部１７０がバス１９０を介してＣＰＵ１１０にと接続されている。また、飛び散り防止設定ボタン１８１、印刷ボタン１８２、中止ボタン１８３、メニューボタン１８４、左矢印ボタン１８５、右矢印ボタン１８６、確定ボタン１８７、プラテン送りボタン１８８の入力の検知を行う入力検知部１８０が、バス１９０を介してＣＰＵ１１０にと接続されている。
【００３７】
そして、図４に示すように、インクジェット記録装置１のＲＯＭ１２０には、インクジェット記録装置１の動作を制御するための制御プログラム等や、印刷処理を実行するための印刷実行プログラムを記憶したプログラム記憶エリア１２１と、プログラムの実行に必要な設定や初期値、データ等の情報を記憶したプログラム関係情報記憶エリア１２２等が設けられている。さらに、ＲＯＭ１２０には、図示外の各種記憶エリアが設けられている。
【００３８】
また、図５に示すように、インクジェット記録装置１のＲＡＭ１３０には、パーソナルコンピュータ２００から受信した印刷データを記憶する受信印刷データ記憶エリア１３１と、印刷ボタン１８２の押下により印刷が実行されている印刷データを記憶する印刷中データ記憶エリア１３２と、各種設定情報が記憶される設定情報記憶エリア１３３等が設けられている。さらに、ＲＡＭ１３０には、図示外の各種記憶エリアが設けられている。
【００３９】
次に、図６乃至図８を参照して、パーソナルコンピュータ２００について説明する。図６は、パーソナルコンピュータ２００の電気的構成を示すブロック図であり、図７は、パーソナルコンピュータ２００のＲＡＭ２３０の模式図であり、図８は、パーソナルコンピュータ２００のハードディスクドライブ（以下、「ＨＤＤ」という。）２５０の模式図である。図６に示す、パーソナルコンピュータ２００は、例えばＵＳＢ等の規格に基づく通信ケーブルによってインクジェット記録装置１に接続しており、グラフィックソフトで作成された画像データやスキャナで取り込まれた画像データ、デジタルカメラで撮影された画像データ等の各種画像データを印刷するための印刷データを画像データに基づいて作成し、作成された印刷データをインクジェット記録装置１へ送信する。
【００４０】
図６に示すように、パーソナルコンピュータ２００には、パーソナルコンピュータ２００の制御を司るＣＰＵ２１０が設けられている。このＣＰＵ２１０には、バス２９０を介し、ＣＰＵ２１０が実行するＢＩＯＳ等のプログラムを記憶したＲＯＭ２２０と、データを一時的に記憶するＲＡＭ２３０と、データの記憶媒体であるＣＤ−ＲＯＭ２４１を挿入し、データの読み込みを行うＣＤ−ＲＯＭドライブ２４０と、データの記憶装置であるＨＤＤ２５０とが接続されている。
【００４１】
さらに、ＣＰＵ２１０には、バス２９０を介して、インクジェット記録装置１を含めた外部機器との通信を行うためのＵＳＢインタフェース２６０と、利用者に操作画面を表示するためのモニタ２７１の画面表示処理を行う表示制御部２７０と、利用者が操作の入力を行うキーボード２８１やマウス２８２が接続され、それらの入力の検知を行う入力検知部２８０とが、接続されている。なお、パーソナルコンピュータ２００には、図示外のフロッピー（登録商標）ディスクドライブ、音声等の入出力部、各種インタフェースなども設けられている。
【００４２】
なお、ＣＤ−ＲＯＭ２４１には、印刷データ作成プログラムや、このプログラムの実行時に使用される設定やデータ等が記憶されており、導入時には、ＣＤ−ＲＯＭ２４１からＨＤＤ２５０に設けられたプログラム記憶エリア２５１（図８参照）やプログラム関係情報記憶エリア２５２（図８参照）に記憶されるようになっている。尚、パーソナルコンピュータ２００の印刷データ作成プログラム及びその使用データ等の取得方法はＣＤ−ＲＯＭ２４１によるものに限らず、フロッピー（登録商標）ディスクやＭＯといった他の記録媒体であっても限らず、また、パーソナルコンピュータ２００をネットワークに接続させ、ネットワーク上の他の端末から取得してもよい。
【００４３】
尚、図７に示すように、ＲＡＭ２３０には、印刷データを作成する画像データを一時的に記憶する入力画像データ記憶エリア２３１、印刷データ作成プログラムによって画像データに基づいて作成された印刷データを記憶する印刷データ記憶エリア２３２、プログラムの実行中の一時的なデータを記憶するプログラム実行時情報記憶エリア２３３等が設けられている。さらに、ＲＡＭ２３０には図示外の各種記憶エリアが設けられている。
【００４４】
また、図８に示すように、ＨＤＤ２５０には、印刷データ作成プログラムを始めとするパーソナルコンピュータ２００で実行される各種のプログラムを記憶するプログラム記憶エリア２５１、色変換テーブル等のプログラムの実行に必要な設定や初期値、データ等の情報を記憶したプログラム関係情報記憶エリア２５２、画像データを記憶する画像データ記憶エリア２５３等が設けられている。さらにＨＤＤ２５０には、図示外の各種記憶エリアが設けられている。
【００４５】
したがって、本第１の実施の形態のインクジェット記録装置１では、パーソナルコンピュータ２００において印刷データ作成プログラムが実行されて印刷データが送信されてくると、印刷データを受信すると共にデータランプ１７３が点灯し、ディスプレイ１７５には印刷データの情報が表示される。そして、印刷データの受信が完了し、操作者がプラテン５へＴシャツをセットし、印刷ボタン１８２が押下されると、まずキャリッジ２０の移動経路が記録開始位置となるように、プラテン５がプラテン駆動モータ７の駆動によってレール３に沿って筐体２の後方に移動される。そして、キャリッジ２０が筐体２の右方向から左方向へ移動しながら、記録指示に従ってインクジェットヘッド２１ａ〜２１ｄからインクを吐出して１ラインの記録が行われる。そして、１ライン分プラテン５が筐体２の後方から前方へ移動され、次いで、キャリッジ２０が筐体２の左方向から右方向へ移動しながら、記録指示に従ってインクジェットヘッド２１ａ〜２１ｄからインクを吐出して１ラインの記録が行われる。そしてさらに１ライン分プラテン５が筐体２の後方から前方へ移動される。これらの動作が繰り返されることによって、Ｔシャツへの印刷が行われる。そして、印刷が終了すると、プラテン５がＴシャツを取り外し可能な位置まで送り出されるので、操作者は印刷の終了したＴシャツを取り外す。尚、１回の走査で印刷される１ラインの高さ（プラテン５の移動方向のピクセル数）は、１ピクセルであっても、複数のピクセルであってもよい。
【００４６】
インクジェット記録装置における記録結果のインクの飛び散りは、インクジェットヘッド２１ａ〜２１ｄの各噴射ノズルから噴射されたインクが、被記録媒体に着弾した際に、着弾点の周囲にインクが飛び散り、着弾点やその近隣にすでに着弾している他のインク滴の上やその周囲に乗り、それらのインク滴の間を進み広がってゆくことにより発生する。特に、Ｔシャツ等の布帛を印刷するインクジェット記録装置１では、より美しい発色をさせるために、紙を被記録媒体とするインクジェット記録装置でのインクの液滴の大きさ（例えば２ピコリットル）に比べ、インクの液滴を大きなもの（例えば、４０ピコリットル）としており、紙に印刷を行う場合と比べて、着弾時に飛び散るインク滴も大きなものとなり、飛び散りも目立つものとなる。さらに、印字媒体が布帛である場合には、布帛は繊維の織物であるため、その表面には繊維自体の凹凸や、織りによる繊維の高低さによる凹凸が形成されている。そこで、インクの液滴が布帛表面に着弾した際に、これらの凹凸に吐出されたインクがぶつかるため、周囲へ飛散するインク滴も増え、飛び散りも目立つものとなる。
【００４７】
本実施の形態のインクジェット記録装置１では、前述したように、シアンインク，マゼンタインク，イエローインク，ブラックインクの４種のインクを用いて記録結果が形成される。そこで、特にイエローインクのみを使用して形成された領域へブラックインクが飛散して生じた飛び散りは、危険信号や注意マーク等の特に人目を惹くことを必要とする標識や表示に黄色と黒色が使用されている例もあるように、人の目につきやすい。従来のインクジェット記録装置では、１回のキャリッジ２０の走査で、各色のインクを吐出するインクジェットヘッドの各々からインクが噴射されるため、イエローインクが噴射され、非記録媒体である布帛上で安定せずに、不安定なインク滴として布帛上に存在している段階で、ブラックインクが布帛上のイエローインク滴上に飛散して、イエローインク滴中もしくはその間を進み広がり、人の目には「飛び散り」として映し出される。
【００４８】
そこで、本第１の実施の形態のインクジェット記録装置１では、「飛び散り防止印刷モード」と「通常印刷モード」を設ける。「通常印刷モード」では、キャリッジ２０の１回の走査において全ての色のインクジェットヘッド２１ａ〜２１ｄの制御を行い、従来のインクジェット記録装置と同様の印刷が行われる。また、「飛び散り防止印刷モード」では、特に飛び散りの目立つイエローインクとブラックインクとの被記録媒体への着弾時間に差を持たせるために、まず、シアンインク用のインクジェットヘッド２１ｂ、マゼンタインク用のインクジェットヘッド２１ｃ、イエローインク用のインクジェットヘッド２１ｄの３種類のみを作動させて印刷データの印刷を行う。そして、再度印刷開始位置へプラテン５を移動させ、ブラックインク用のインクジェットヘッド２１ａのみを作動させて印刷データの印刷を行う。すなわち、シアンインク，マゼンタインク，イエローインクのみの印刷し、その後ブラックインクだけの印刷を行う。こうすることによって、ブラックインクが被印刷媒体へ着弾する際には、事前に吐出され、被印刷媒体へ着弾したイエローインクのインク滴は被印刷媒体上で十分に安定し、被印刷媒体への浸透も進んでいるため、ブラックインクの飛散インク滴が進み広がる空間は少なくなっており、したがって飛び散りを抑えることができる。尚、飛び散り防止設定ボタン１８１の操作により、モードの設定が行われ、「飛び散り防止印刷モード」では飛び散り防止設定ランプ１７１が点灯し、「通常印刷モード」では消灯している。尚、被記録媒体は、綿１００％のＴシャツ（Ｈａｎｅｓ（商標）のＢｅｅｆｙ−Ｔ（商標））である。
【００４９】
尚、ブラックインクはＬ＊値（明度）が低く、インクの種類や製造メーカーによる差はあるものの、綿１００％のＴシャツ生地に印刷された印刷結果を、コニカミノルタ製分光測色計ＣＭ−３７００ｄにより測色すると、３０前後の値をとる。また、イエローインクはＬ＊値（明度）の値が高く、ブラックインクと同様にインクの種類や製造メーカーのによる差はあるものの、８０前後の値をとる。また、シアンインク及びマゼンタインクのＬ＊値は４０を越え６０未満の間の値を取る。即ち、本第１の実施の形態の「飛び散り防止印刷モード」では、まずＬ＊値が４０を越えるインクであるシアンインク，マゼンタインク，イエローインクで印刷が行われ、その後Ｌ＊値が４０以下のインクであるブラックインクで印刷が行われる。
【００５０】
次に、図９を参照して、インクジェット記録装置１の制御について説明する。図９は、印刷ボタン１８２が押下された際に、印刷を行う準備が整っていた場合に実行される印刷処理のフローチャートである。印刷を行う準備が整っていた場合とは次の条件を満たしている場合である。条件とは、その時点で印刷が行われていないこと、受信印刷データ記憶エリア１３１に印刷すべき印刷データが存在していること、プラテン５に被記録媒体が正しくセットされていること等である。尚、以下、フローチャートの各ステップを「Ｓ」と略記する。また、図中ではシアンを「Ｃ」、マゼンタを「Ｍ」、イエローを「Ｙ」、ブラックを「Ｋ」と略記する。
【００５１】
まず、印刷データの初期処理が行われる（Ｓ１）。具体的には、受信印刷データ記憶エリア１３１に記憶されている印刷データを印刷中データ記憶エリア１３２へ記憶し、受信印刷データ記憶エリア１３１の印刷データを削除する。そして、印刷中データ記憶エリア１３２の印刷データを読み込むために印刷データのファイルをオープンする。次いで、ヘッダ情報を読み込み、ディスプレイ１７５に印刷データの情報及び印刷中のメッセージを表示する（Ｓ２）。次いで、プラテン５を印刷開始位置まで移動させる（Ｓ３）。
【００５２】
そして、「飛び散り防止印刷モード」であるか否かの判断が行われる（Ｓ４）。この判断は、ＲＡＭ１３０の設定情報記憶エリア１３３の中に設けられている「飛び散り防止印刷モードフラグ」に「１」が記憶されて「ＯＮ」となっているか、「０」が記憶されて「ＯＦＦ」となっているかにより行われる。尚、この「飛び散り防止印刷モードフラグ」は、飛び散り防止設定ボタン１８１の押下によりＯＮ−ＯＦＦされる。図示外の設定プログラムにおいて、飛び散り防止印刷モードフラグが「ＯＦＦ」である場合に飛び散り防止設定ボタン１８１の押下を検出すると、「１」が記憶されて「ＯＮ」となり、飛び散り防止設定ランプ１７１を点灯させる。また、飛び散り防止印刷モードフラグが「ＯＮ」である場合に飛び散り防止設定ボタン１８１の押下を検出すると、「０」が記憶されて「ＯＦＦ」となり、飛び散り防止設定ランプ１７１を消灯させる。
【００５３】
「飛び散り防止印刷モードフラグ」が「ＯＮ」でなく、「飛び散り防止印刷モード」でない場合には（Ｓ４：ＮＯ）、「通常印刷モード」である。そこで、１ライン分の情報が読み込まれる（Ｓ２１）。１ライン分の情報が読み込まれていれば（Ｓ２２：ＹＥＳ）、ブラック用のインクジェットヘッド２１ａ、シアンインク用のインクジェットヘッド２１ｂ、マゼンタインク用のインクジェットヘッド２１ｃ、イエローインク用のインクジェットヘッド２１ｄの全てを作動させて１ライン目の印刷動作が行われる（Ｓ２３）。そして、Ｓ２１へ戻り、１ライン分の情報が読み込まれ（Ｓ２１）、１ライン分の情報が読み込まれていれば（Ｓ２２：ＹＥＳ）、全てのインクジェットヘッド２１ａ〜２１ｄを作動させて２ライン目の印刷動作が行われる（Ｓ２３）。そして、Ｓ２１へ戻る。これらのＳ２１〜Ｓ２３の処理が繰り返し行われ、全ラインの印刷動作が行われ、１ライン分の情報が読み込まれなくなったら（Ｓ２１、Ｓ２２：ＮＯ）、プラテン５が排出され（Ｓ３１）、印刷終了処理が行われ（Ｓ３２）、処理が終了する。印刷終了処理では、印刷データがクローズされて、ディスプレイ１７５の表示が印刷終了を示すメッセージに変更される。
【００５４】
また、「飛び散り防止印刷モードフラグ」が「ＯＮ」であり、「飛び散り防止印刷モード」である場合には（Ｓ４：ＹＥＳ）、シアンインク，マゼンタインク，イエローインクで印刷が行われた後に（Ｓ５〜Ｓ７）、ブラックインクで印刷が行われる（Ｓ８〜Ｓ１２）。まず、１ライン分の情報が読み込まれ（Ｓ５）、１ライン分の情報が読み込まれていれば（Ｓ６：ＹＥＳ）、シアンインク用のインクジェットヘッド２１ｂ、マゼンタインク用のインクジェットヘッド２１ｃ、イエローインク用のインクジェットヘッド２１ｄの３つのインクジェットヘッド２１ｂ〜２１ｄのみを作動させて１ライン目の印刷動作が行われる（Ｓ７）。そして、Ｓ５へ戻り、１ライン分の情報が読み込まれ（Ｓ５）、そして、１ライン分の情報が読み込まれていれば（Ｓ６：ＹＥＳ）、３つのインクジェットヘッド２１ｂ〜２１ｄを作動させて２ライン目の印刷動作が行われる（Ｓ７）。そして、Ｓ５へ戻る。これらのＳ５〜Ｓ７の処理が繰り返し行われ、全ラインの印刷動作が行われ、１ライン分の情報が読み込まれなくなったら（Ｓ５、Ｓ６：ＮＯ）、再印刷処理が行われる（Ｓ８）。再印刷処理では、一通りシアンインク，マゼンタインク，イエローインクで全ラインの印刷を終了したので、印刷データのファイルがクローズされ、再度ブラックインクで全ラインの印刷を行うためにオープンされる。そして、すぐに印刷用の情報を読み込めるようにヘッダ情報の読み込みが行われる。次いで、プラテン５が印刷開始位置に移動される（Ｓ９）。
【００５５】
そして、１ライン分の情報が読み込まれ（Ｓ１０）、１ライン分の情報が読み込まれていれば（Ｓ１１：ＹＥＳ）、ブラックインク用のインクジェットヘッド２１ａのみを作動させて１ライン目の印刷動作が行われる（Ｓ１２）。そして、Ｓ１０へ戻り、１ライン分の情報が読み込まれ（Ｓ１０）、そして、１ライン分の情報が読み込まれていれば（Ｓ１１：ＹＥＳ）、インクジェットヘッド２１ａのみを作動させて２ライン目の印刷動作が行われる（Ｓ１２）。そして、Ｓ１０へ戻る。これらのＳ１０〜Ｓ１２の処理が繰り返し行われ、全ラインの印刷動作が行われ、１ライン分の情報が読み込まれなくなったら（Ｓ１０、Ｓ１１：ＮＯ）、プラテン５が排出され（Ｓ３１）、印刷終了処理が行われ（Ｓ３２）、処理が終了する。印刷終了処理では、印刷データがクローズされて、ディスプレイ１７５の表示が印刷終了を示すメッセージに変更される。
【００５６】
したがって、飛び散り防止設定ボタン１８１の操作により「飛び散り防止印刷モード」及び「通常印刷モード」の選択をすることができ、「飛び散り防止印刷モード」が選択されている場合には、パーソナルコンピュータ２００で作成された印刷データを、まずＬ＊値が４０を越えないシアンインク，マゼンタインク，イエローインクのみで印刷し、その後、これらの色で印刷された被記録媒体の上からＬ＊値が４０以下であるブラックインクのみで再度印刷データを印刷することができる。よって、シアンインク，マゼンタインク，イエローインクが被記録媒体へ着弾し、被記録媒体上で安定してから、ブラックインクが着弾するので、ブラックインクの飛散インク滴がシアンインク，マゼンタインク，イエローインク上やその間へのにじみ広がりを抑制することができる。
【００５７】
尚、上記第１の実施の形態において、図９に示すフローチャートのＳ５〜Ｓ７の処理を実行するＣＰＵ１１０が、請求項１における「第１記録制御手段」に相当し、図９に示すフローチャートのＳ８〜Ｓ１２の処理を実行するＣＰＵ１１０が、請求項１における「第２記録制御手段」に相当する。また、「飛び散り防止印刷モード」が請求項２における「第１記録モード」に該当し、「通常印刷モード」が請求項２における「第２記録モード」に該当する。また、操作パネル２８の飛び散り防止設定ボタン１８１が請求項２における「記録モード選択手段」に該当し、図９に示すフローチャートのＳ４〜Ｓ２３の処理を実行するＣＰＵ１１０が請求項２における「記録制御手段」に相当する。
【００５８】
また、各インクジェットヘッド２１ａ〜２１ｄに設けられている噴射ノズルから各色のインクの液滴が噴射された時が「被記録媒体へのインクの吐出時間」に該当する。上記第１の実施の形態のようなインクジェット記録装置１では、４色のインクにより１ピクセルの色を表現している。実際には、１つのインクジェットヘッドから１色のインクが吐出されるので、１ピクセルに対する各色のインクの噴射が全く同時に行われることはない。しかしながら、キャリッジ２０は高速で移動しながら、搭載しているインクジェットヘッド２１ａ〜２１ｄからインクの噴射を行うので、インク滴の飛び散りを考える場合においては、各色のインク滴の噴射はほぼ同時であると捉えても差し支えない。また、同様に１回のキャリッジ２０の走査において噴射が行われる近隣（着弾時にインク滴が飛散する範囲）のピクセルについても、ほぼ同時に噴射が行われると捉えても差し支えない。すなわち、Ｌ＊値が４０を越えるインクを、Ｌ＊値が４０以下であるインクよりも先にインクジェットヘッドから被記録媒体へ吐出することにより生じる「インクの吐出時間の差」とは、キャリッジ２０の１回の走査中おける、あるピクセルに対する各インクの噴射の間隔という些少の差ではなく、少なくとも、Ｌ＊値が４０を越えるインクが被記録媒体へ吐出されたキャリッジ２０の走査が終了した後に、Ｌ＊値が４０以下であるインクを被記録媒体へ吐出することにより生じる噴射の間隔に相当する。
【００５９】
尚、本発明は、以上詳述した第１の実施の形態に限定されるものではなく、種々の変更が可能である。以下に、本発明を適用する第１の実施の形態の変形例について説明する。上記第１の実施の形態では、インクジェット記録装置１は、キャリッジ２０が筐体２の左右方向に往復移動するなかで、往路でも復路でもインクジェットヘッド２１ａ〜２１ｄからインクを吐出させて印刷を行っているが、これは、往路のみ又は復路のみ印刷するようなインクジェット記録装置であってもよい。また、上記第１の実施の形態では、ＣＭＹＫ方式により４色のインクを使用しているが、使用するインクの色数はこれに限らず、より多くのインクを使用するものであっても良い。
【００６０】
また、上記第１の実施の形態では、「飛び散り防止印刷モード」において、Ｌ＊値が４０を越えるインクであるシアンインク，マゼンタインク，イエローインクで印刷データの全てを印刷した後に、Ｌ＊値が４０以下であるブラックインクで印刷を行い、「インクの吐出時間の差」はすなわち１つの画像データを印刷するのにかかった時間であった。しかしながら、往路でＬ＊値が４０を越えないシアンインク，マゼンタインク，イエローインクで印刷データの全てを印刷し、復路でＬ＊値が４０以下であるブラックインクで印刷を行い、「インクの吐出時間の差」を１回の走査及びキャリッジ２０の方向転換にかかる時間としてもよい。また、往路のみ又は復路のみ印刷する場合には、１ラインＬ＊値が４０を越えないシアンインク，マゼンタインク，イエローインクで印刷し、プラテン５を１ライン分戻して、Ｌ＊値が４０以下であるブラックインクで印刷を行ってもよく、「インクの吐出時間の差」を往復１回の走査にかかる時間としてもよい。また、所定のライン数（例えば、１０ラインや２０ライン）をＬ＊値が４０を越えないシアンインク，マゼンタインク，イエローインクで印刷し、プラテン５を戻して、Ｌ＊値が４０以下であるブラックインクで印刷を行ってもよく、「インクの吐出時間の差」を所定のライン数を印刷するのにかかる時間としてもよい。
【００６１】
また、上記第１の実施の形態では、「記録モード選択手段」として操作パネル２８の飛び散り防止設定ボタン１８１を用いたが、インクジェット記録装置１における記録モードの選択は、図１及び図２に示すようなボタン形状のものでなく、スイッチ型等他の形状であってもよいことは言うまでもない。また、ディスプレイ１７５に設定画面を表示して、メニューボタン１８４、左矢印ボタン１８５は、右矢印ボタン１８６、確定ボタン１８７等を操作する事により印刷モードを選択するようにしてもよい。また、「記録モード選択手段」を備えずに、全ての印刷データを「飛び散り防止印刷モード」で印刷するものであってもよい。
【００６２】
また、上記第１の実施の形態では、シアンインク，マゼンタインク，イエローインク（Ｌ＊値が４０を越えるインク）を先に吐出し、ブラックインク（Ｌ＊値が４０以下であるインク）を後から吐出しているが、イエローインク（Ｌ＊値が６０以上であるインク）を先に吐出し、シアンインク，マゼンタインク，ブラックインク（Ｌ＊値が６０未満であるインク）を後から吐出してもよい（請求項３、請求項４）。この場合には、図９に示すフローチャートのＳ７において、イエローインク用のインクジェットヘッド２１ｄのみを作動させて印刷を行い、Ｓ１２において、ブラックインク用のインクジェットヘッド２１ａ、シアンインク用のインクジェットヘッド２１ｂ、マゼンタインク用のインクジェットヘッド２１ｃのみを作動させて印刷を行えばよい。
【００６３】
さらにこの場合には、図９に示すフローチャートのＳ５〜Ｓ７の処理を実行するＣＰＵ１１０が、請求項３における「第１記録制御手段」に相当し、図９に示すフローチャートのＳ８〜Ｓ１２の処理を実行するＣＰＵ１１０が、請求項３における「第２記録制御手段」に相当する。ただし、前述したように、Ｓ７においては、インクジェットヘッド２１ｄのみを作動させて印刷を行い、Ｓ１２においては、インクジェットヘッド２１ａ〜２１ｃのみを作動させて印刷が行われる。また、「飛び散り防止印刷モード」が請求項４における「第１記録モード」に該当し、「通常印刷モード」が請求項４における「第２記録モード」に該当する。また、操作パネル２８の飛び散り防止設定ボタン１８１が請求項４における「記録モード選択手段」に該当し、図９に示すフローチャートのＳ４〜Ｓ２３の処理を実行するＣＰＵ１１０が請求項４における「記録制御手段」に相当する。
【００６４】
次に、本発明の第２の実施の形態を図面を参照して説明する。本発明に係るインクジェット記録装置は、図１乃至図５に示すような、第１の実施の形態のインクジェット記録装置１の構造と同様であるので、第１の実施の形態の説明を援用して、構造の説明を省略する。
【００６５】
また、パーソナルコンピュータ２００についても、図６に示すような第１の実施の形態のパーソナルコンピュータ２００の構造と同様であるので、第１の実施の形態の説明を援用して構造の説明を省略する。
【００６６】
第２の実施の形態では、パーソナルコンピュータ２００において「飛び散り防止印刷モード選択手段」を設け、「飛び散り防止印刷モード」が選択された場合には、パーソナルコンピュータ２００で作成される印刷データを、まずシアンインク，マゼンタインク，イエローインクのみに対応する箇所に値がセットされた全ピクセル分の印刷用情報、その後にブラックインクに対応する箇所に値がセットされた全ピクセル分の印刷用情報で形成する。したがって、インクジェット記録装置１側では指定された位置の印刷を行うのみで、先にシアンインク，マゼンタインク，イエローインクのみでの印刷を行い、その後にブラックインクのみでの印刷を行うことになり、各インクジェットヘッド２１ａ〜２１ｄの作動の有無の制御は行わない。また、「飛び散り防止印刷モード」が選択されていない場合には、「通常印刷モード」となり、シアン，マゼンタ，イエロー，ブラックの全てに対応する箇所に値がセットされた全ピクセル分の印刷情報で印刷データが形成される。さらに、「飛び散り防止印刷モード選択手段」はパーソナルコンピュータ２００に設けられているので、操作パネル２８に飛び散り防止設定ボタン１８１は存在しなくてもよい。
【００６７】
次に、本第２の実施の形態でパーソナルコンピュータ２００からインクジェット記録装置１へ送信される印刷データについて、図１０を参照して説明する。図１０は、印刷データの一例である印刷データ３００の模式図である。図１０に示すように、先頭には、ヘッダデータとして飛び散り防止フラグがセットされている。この飛び散り防止フラグに「１」が記憶されている場合には、「飛び散り防止印刷モード」が指示されており、「０」が記憶されている場合には、「通常印刷モード」が指示されている。図１０に示す例では「１」であり、「飛び散り防止印刷モード」が指示されている。尚、図１０に示す例では、ヘッダデータとして飛び散り防止フラグのみを図示しているが、その他印刷データに関する情報（例えば、被記録媒体の布帛の種類、画像データ名、画像データのサイズ等）が含まれているが、ここでは発明の要部に関係がないので省略する。
【００６８】
次いで、実際の印刷に関する情報がセットされている。ここには、印刷イメージの最小単位であるピクセル毎に、どの位置に（ピクセル欄）、どの色で（Ｃ欄、Ｍ欄、Ｙ欄、Ｋ欄）表現するかが指定されており、図１０におけるピクセル欄、Ｃ欄、Ｍ欄、Ｙ欄、Ｋ欄が一組となって１つのピクセルについての情報となっている。尚、ピクセル欄にはピクセルの位置が記憶されており、印刷実行時のインクジェットヘッド２１の走査方向をＸ方向、プラテン５の移動方向をＹ方向とすると、印刷イメージの一番左上のピクセルを（１，１）とする、（Ｘ，Ｙ）座標として表されている。よって、右のピクセルほどＸ座標の値が大きくなり、下のピクセルほどＹ座標の値が大きくなる。Ｃ欄、Ｍ欄、Ｙ欄、Ｋ欄にはそれぞれ、そのピクセルの色を示すシアンインク，マゼンタインク，イエローインク，ブラックインクの各値が記憶されている。
【００６９】
図１０に示す例では、ピクセル欄（１，１）のシアンは５、マゼンタは２２、イエローは１５、ブラックは０であり、ピクセル欄（１，２）のシアンは０、マゼンタは０、イエローは１００、ブラックは０であり、ピクセル欄（１，３）のシアンは０、マゼンタは０、イエローは１００、ブラックは０であり、ピクセル欄（１，４）のシアンは０、マゼンタは０、イエローは１００、ブラックは０であり、ピクセル欄（１，５）のシアンは０、マゼンタは０、イエローは１００、ブラックは０であり、ピクセル欄（１，６）のシアンは９、マゼンタは０、イエローは９０、ブラックは０であり、ピクセル欄（１，７）〜ピクセル欄（３００，４４９）のピクセルについての情報は省略されており、ピクセル欄（３００，４５０）のシアンは１０、マゼンタは７、イエローは９０、ブラックは０である。このように、「飛び散り防止印刷モード」が指示されている印刷データでは、Ｋ欄の値が全て「０」である全ピクセルの情報がまずセットされる。そして、その後にＣ欄、Ｍ欄、Ｙ欄の値が全て「０」である全ピクセルの情報がセットされる。図１０に示す例では、ピクセル欄（１，１）のシアンは０、マゼンタは０、イエローは０、ブラックは８５であり、ピクセル欄（１，２）のシアンは０、マゼンタは０、イエローは０、ブラックは１であり、ピクセル欄（１，３）のシアンは０、マゼンタは０、イエローは０、ブラックは１であり、ピクセル欄（１，４）のシアンは０、マゼンタは０、イエローは０、ブラックは１であり、ピクセル欄（１，５）のシアンは０、マゼンタは０、イエローは０、ブラックは１であり、ピクセル欄（１，６）のシアンは０、マゼンタは０、イエローは０、ブラックは１００であり、ピクセル欄（１，７）以降のピクセルについての情報は省略されている。
【００７０】
次に、図１１を参照して、「飛び散り防止印刷モード」の指示が行われる印刷画面について説明する。図１１は、印刷画面の一例である印刷画面４００のイメージ図である。図１１に示すように、印刷画面４００には、「印刷します。よろしいですか？」の印刷確認メッセージが表示され、ＯＫボタン及びキャンセルボタンが設けられている。また、印刷確認メッセージの下には、「飛び散り防止印刷」の表示とチェックボックスが設けられている。この印刷画面は画像データに対して印刷指示が与えられると表示され、ＯＫボタンが選択されると、印刷データ作成プログラム（図１２参照）が起動されて、印刷データが作成され、インクジェット記録装置１へ作成された印刷データが送信される。尚、この印刷画面では、印刷部数の設定等他の設定も行うようにしてもよいことは言うまでもない。
【００７１】
ここで、図１２のフローチャートを参照して、パーソナルコンピュータ２００の印刷データ作成プログラムの動作について説明する。図１２は、印刷データ作成プログラムのフローチャートである。印刷画面４００にて、ＯＫボタンが選択されると本プログラムが起動され、まず、飛び散り防止印刷のチェックボックスにチェックが成されていたか否かにより、「飛び散り防止印刷モード」の指示があるか否かの判断が行われる（Ｓ５１）。
【００７２】
「飛び散り防止印刷モード」でなければ（Ｓ５１：ＮＯ）、ＲＡＭ２３０の印刷データ記憶エリア２３２に作成される印刷データの飛び散り防止フラグ欄に「０」をセットし「ＯＦＦ」とされ（Ｓ５５）、全ピクセルに対してシアン，マゼンタ，イエロー，ブラックの全ての値の入っている情報がセットされ（Ｓ５６）、作成された印刷データがインクジェット記録装置１へ送信され（Ｓ６０）、処理を終了する。
【００７３】
また、「飛び散り防止印刷モード」の指示がされていれば（Ｓ５１：ＹＥＳ）、ＲＡＭ２３０の印刷データ記憶エリア２３２に作成される印刷データの飛び散り防止フラグ欄に「１」をセットし「ＯＮ」とされ（Ｓ５２）、印刷する画像データの全ピクセルに対してシアン，マゼンタ，イエローのみに値が入り、ブラックは全て「０」とされた情報をセットする（Ｓ５３）。そして、印刷する画像データの全ピクセルに対してシアン，マゼンタ，イエローは全て「０」とされ、ブラックのみに値の入っている情報をセットする（Ｓ５４）。そして、作成された印刷データがインクジェット記録装置１へ送信され（Ｓ６０）、処理を終了する。
【００７４】
このようにして、飛び散り防止印刷設定のチェックボックスにチェックがなされて、「飛び散り防止印刷モード」の指示がされていれば、印刷データの飛び散り防止フラグ欄には「１」がセットされ、シアン，マゼンタ，イエローのみに値の入った全ピクセルの情報とブラックのみに値の入った全ピクセルの情報とがセットされる。
【００７５】
次いで、図１３のフローチャートを参照して、インクジェット記録装置１の制御について説明する。図１３は、印刷ボタン１８２が押下された際に、印刷を行う準備が整っていた場合に実行される印刷処理のフローチャートである。印刷を行う準備が整っていた場合とは、第１の実施の形態と同様に、その時点で印刷が行われていないこと、受信印刷データ記憶エリア１３１に印刷すべき印刷データが存在していること、プラテン５に被記録媒体が正しくセットされていること等の条件を満たしている場合である。
【００７６】
まず、印刷データの初期処理が行われる（Ｓ７１）。具体的には、受信印刷データ記憶エリア１３１に記憶されている印刷データを印刷中データ記憶エリア１３２へ記憶し、受信印刷データ記憶エリア１３１の印刷データを削除する。そして、印刷中データ記憶エリア１３２の印刷データを読み込むために印刷データのファイルをオープンする。次いで、ヘッダデータを読み込み、飛び散り防止フラグが「１」であれば、ＲＡＭ１３０の設定情報記憶エリア１３３の中に設けられている「飛び散り防止印刷モードフラグ」に「１」が記憶されて、「飛び散り防止印刷モード」とされ、飛び散り防止フラグが「０」であれば、「飛び散り防止印刷モードフラグ」に「０」が記憶されて「通常モード」とされるモード設定が行われる（Ｓ７２）。次いで、ディスプレイ１７５に印刷データの情報及び印刷中のメッセージを表示する（Ｓ７３）。ここでは、「飛び散り防止印刷モード」であれば、その旨もディスプレイ１７５に表示される。
【００７７】
次いで、「飛び散り防止印刷モード」であるか否かの判断が行われる（Ｓ７４）。この判断は、ＲＡＭ１３０の設定情報記憶エリア１３３の中に設けられている「飛び散り防止印刷モードフラグ」にセットされている値が「１」であるか否かにより行われる。
【００７８】
「通常印刷モード」であり、「飛び散り防止印刷モードフラグ」に「０」がセットされ、「１」がセットされていない場合には（Ｓ７４：ＮＯ）、全ピクセルについてシアン，マゼンタ，イエロー，ブラックの入った通常の印刷データが送信されてきているので、まず、プラテン５を印刷開始位置まで移動させ（Ｓ８１）、１ライン分の情報が読み込まれ（Ｓ８２）、１ライン分の情報が読み込まれていたら（Ｓ８３：ＹＥＳ）、１ライン目の印刷動作が行われる（Ｓ８４）。そして、Ｓ８２へ戻り、１ライン分の情報が読み込まれ（Ｓ８２）、１ライン分の情報が読み込まれていれば（Ｓ８３：ＹＥＳ）、２ライン目の印刷動作が行われる（Ｓ８４）。そして、Ｓ８２へ戻る。これらＳ８２〜Ｓ２３の処理が繰り返し行われ、全ラインの印刷動作が行われ、１ライン分の情報が読み込まれなくなったら（Ｓ８２、Ｓ８３：ＮＯ）、プラテン５が排出され（Ｓ９１）、印刷終了処理が行われ（Ｓ９２）、処理が終了する。印刷終了処理では、印刷データのファイルがクローズされて、ディスプレイ１７５の表示が印刷終了を示すメッセージに変更され、印刷中データ記憶エリア１３２の印刷データが消去される。
【００７９】
また、「飛び散り防止印刷モード」であり、「飛び散り防止印刷モードフラグ」に「１」がセットされている場合には（Ｓ７４：ＹＥＳ）、印刷データはシアン，マゼンタ，イエローのみを指定した全ピクセルの情報と、ブラックのみを指定した全ピクセルの情報とがセットされているので、シアン，マゼンタ，イエローのみを指定した情報の処理が終了した後に、プラテン５を印刷開始位置へ戻し、再度ブラックのみを指定した情報の処理を行う必要がある。そこで、まず、１ライン分の情報が読み込まれ（Ｓ７５）、１ライン分の情報が読み込まれていたら（Ｓ７６：ＹＥＳ）、その情報が１ライン目の情報であるか否かの判断が行われる（Ｓ７７）。初めは１ライン目の情報であるので（Ｓ７７：ＹＥＳ）、プラテン５が印刷開始位置に移動され（Ｓ７８）、１ライン目の印刷動作が行われる（Ｓ７９）。ここでは、ブラックインク用のインクジェットヘッド２１ａも作動するが、ブラックを指示する値が「０」であるのでブラックインクが吐出されることはない。そして、Ｓ７５へ戻り、次の１ライン分の情報が読み込まれる（Ｓ７８）。次は２ライン目の情報が読み込まれているので（Ｓ７６：ＹＥＳ、Ｓ７７：ＮＯ）、読み込まれた２ライン目の印刷動作が行われ（Ｓ７９）、Ｓ７５へ戻る。ここでも、ブラックインク用のインクジェットヘッド２１ａも作動するが、ブラックを指示する値が「０」であるのでブラックインクが吐出されることはない。
【００８０】
そして、次の１ライン分の情報が読み込まれ（Ｓ７５）、そして、１ライン分の情報が読み込まれており（Ｓ７６：ＹＥＳ）、１ライン目の情報でなければ（Ｓ７７：ＮＯ）、読み込まれたラインの印刷動作が行われる（Ｓ７９）。これらのＳ７５〜Ｓ７９の処理が繰り返し行われ、全ライン（全ピクセル）の印刷動作が行われると、ブラックのみを指定した１ライン目の情報が読み込まれることになるので（Ｓ７５、Ｓ７６：ＹＥＳ、Ｓ７７：ＹＥＳ）、プラテン５が印刷開始位置に移動される（Ｓ７８）。そして、ブラックのみを指定した１ライン目の印刷動作が行われる（Ｓ７９）。ここでは、シアン用のインクジェットヘッド２１ｂ、マゼンタ用のインクジェットヘッド２１ｃ、イエロー用のインクジェットヘッド２１ｄも作動するが、これらを指示する値は「０」であるので、これらの色のインクが吐出されることはない。
【００８１】
そして、Ｓ７５へ戻り、次の１ライン分の情報が読み込まれる（Ｓ７５）。次は２ライン目の情報が読み込まれているので（Ｓ７６：ＹＥＳ、Ｓ７７：ＮＯ）、読み込まれた２ライン目の印刷動作が行われ（Ｓ７９）、Ｓ７５へ戻る。ここでも、シアン用のインクジェットヘッド２１ｂ、マゼンタ用のインクジェットヘッド２１ｃ、イエロー用のインクジェットヘッド２１ｄも作動するが、これらを指示する値は「０」であるので、これらの色のインクが吐出されることはない。
【００８２】
そして、次の１ライン分の情報が読み込まれ（Ｓ７５）、そして、１ライン分の情報が読み込まれており（Ｓ７６：ＹＥＳ）、１ライン目の情報でなければ（Ｓ７７：ＮＯ）、読み込まれたラインの印刷動作が行われる（Ｓ７９）。これらのＳ７５〜Ｓ７９の処理が繰り返し行われ、ブラックのみを指定した全ライン（全ピクセル）の印刷動作が行われると、１ライン分の情報が読み込まれなくなるので（Ｓ７５、Ｓ７６：ＮＯ）、プラテン５が排出され（Ｓ９１）、印刷終了処理が行われ（Ｓ９２）、処理が終了する。印刷終了処理では、印刷データがクローズされて、ディスプレイ１７５の表示が印刷終了を示すメッセージに変更される。
【００８３】
したがって、パーソナルコンピュータ２００において印刷実行時に、「飛び散り防止印刷設定」のチェックボックスがチェックされて、「飛び散り防止印刷モード」の指示がされていれば、ヘッダ部分に設けられた「飛び散り防止フラグ」に「１」がセットされ、まずシアンインク，マゼンタインク，イエローインクのみに対応する箇所に値がセットされた全ピクセル分の印刷用情報、その後にブラックインクに対応する箇所に値がセットされた全ピクセルの分の印刷用情報という構成で形成された印刷データを作成することができる。また、チェックボックスがチェックされておらず、「飛び散り防止印刷モード」の指示がされていなければ、「通常印刷モード」が指示され、ヘッダ部分に設けられた「飛び散り防止フラグ」に「０」がセットされ、従来の印刷データと同様に、シアン，マゼンタ，イエロー，ブラックの全てに対応する箇所に値がセットされた全ピクセル分の印刷情報で印刷データを作成することができる。そして、インクジェット記録装置１では、パーソナルコンピュータ２００から送信された印刷データの「飛び散り防止フラグ」により、「飛び散り防止印刷モード」が指示されているか否かの判断が行われ、「飛び散り防止印刷モード」であれば、まずシアン，マゼンタ，イエローのみに値の入った情報で印刷を行った後に、プラテン５が印刷開始位置に戻されて、その後、シアン，マゼンタ，イエローのみで印刷された印刷結果の上に、ブラックのみに値の入った情報で印刷を行うことができる。また、「通常印刷モード」であれば、従来のインクジェット記録装置１と同様に、シアン，マゼンタ，イエロー，ブラックの全ての印刷を同時に行うことができる。よって、「飛び散り防止印刷モード」が指示されていれば、シアンインク，マゼンタインク，イエローインクが被記録媒体へ着弾し、被記録媒体上で安定してから、ブラックインクが着弾するので、ブラックインクの飛散インク滴がシアンインク，マゼンタインク，イエローインク上やその間へのにじみ広がりを抑制することができる。
【００８４】
尚、上記第２の実施の形態において、図１３に示すフローチャートのＳ７５〜Ｓ７９の処理を実行するＣＰＵ１１０が、請求項１における「第１記録制御手段」に相当し、図１３に示すフローチャートのＳ８１〜Ｓ８４の処理を実行するＣＰＵ１１０が、請求項１における「第２記録制御手段」に相当する。また、「飛び散り防止印刷モード」が請求項２における「第１記録モード」に該当し、「通常印刷モード」が請求項２における「第２記録モード」に該当する。パーソナルコンピュータ２００から受信した印刷データの「飛び散り防止フラグ」の値に従って、印刷モードを選択するＳ７２の処理を実行するＣＰＵ１１０が請求項２における「記録モード選択手段」に該当し、図１３に示すフローチャートのＳ７４〜Ｓ８４の処理を実行するＣＰＵ１１０が請求項２における「記録制御手段」に相当する。
【００８５】
また、第１の実施の形態と同様に、各インクジェットヘッド２１ａ〜２１ｄに設けられている噴射ノズルから各色のインクの液滴が噴射された時が「被記録媒体へのインクの吐出時間」に該当する。また、Ｌ＊値が６０以上であるインクを、Ｌ＊値が６０未満であるインクよりも先にインクジェットヘッドから被記録媒体へ吐出することにより生じる「インクの吐出時間の差」とは、キャリッジ２０の１回の走査中おける、あるピクセルに対する各インクの噴射の間隔という些少の差ではなく、少なくとも、Ｌ＊値が６０以上であるインクが被記録媒体へ吐出されたキャリッジ２０の走査が終了した後に、Ｌ＊値が６０未満であるインクを被記録媒体へ吐出することにより生じる噴射の間隔に相当する。
【００８６】
尚、本発明は、以上詳述した第２の実施の形態に限定されるものではなく、種々の変更が可能である。以下に、本発明を適用する第２の実施の形態の変形例について説明する。上記第２の実施の形態においても、第１の実施の形態と同様に、往路のみ又は復路のみ印刷するようなインクジェット記録装置であってもよい。また、上記第２の実施の形態では、ＣＭＹＫ方式により４色のインクを使用しているが、使用するインクの色数はこれに限らず、より多くのインクを使用するものであっても良い。
【００８７】
また、上記第２の実施の形態においても、往路でＬ＊値が４０を越えるシアンインク，マゼンタインク，イエローインクで印刷データの全てを印刷し、復路でＬ＊値が４０以下であるブラックインクで印刷を行い、「インクの吐出時間の差」を１回の走査及びキャリッジ２０の方向転換にかかる時間としてもよい。また、往路のみ又は復路のみ印刷する場合には、１ラインをＬ＊値が４０を越えるシアンインク，マゼンタインク，イエローインクで印刷し、プラテン５を１ライン分戻して、Ｌ＊値が４０以下であるブラックインクで印刷を行ってもよく、「インクの吐出時間の差」を往復１回の走査にかかる時間としてもよい。また、所定のライン数（例えば、１０ラインや２０ライン）をＬ＊値が４０を越えるシアンインク，マゼンタインク，イエローインクで印刷し、プラテン５を戻して、Ｌ＊値が４０以下であるブラックインクで印刷を行ってもよく、「インクの吐出時間の差」を所定のライン数を印刷するのにかかる時間としてもよい。
【００８８】
また、上記第２の実施の形態では、シアンインク，マゼンタインク，イエローインク（Ｌ＊値が４０を越えるインク）を先に吐出し、ブラックインク（Ｌ＊値が４０以下であるインク）を後から吐出しているが、イエローインク（Ｌ＊値が６０以上であるインク）を先に吐出し、シアンインク，マゼンタインク，ブラックインク（Ｌ＊値が６０未満であるインク）を後から吐出してもよい（請求項３、請求項４）。この場合には、図１２に示すフローチャートのＳ５３において、イエローインクの値を示すＹ欄のみに値をセットし、Ｓ５６において、ブラックインクの値を示すＫ欄、シアンインクの値を示すＣ欄、マゼンタインクの値を示すＭ欄に値をセットするようにすればよい。
【００８９】
この場合においても、図１３に示すフローチャートのＳ７５〜Ｓ７９の処理を実行するＣＰＵ１１０が、請求項３における「第１記録制御手段」に相当し、図１３に示すフローチャートのＳ８１〜Ｓ８４の処理を実行するＣＰＵ１１０が、請求項３における「第２記録制御手段」に相当する。また、「飛び散り防止印刷モード」が請求項４における「第１記録モード」に該当し、「通常印刷モード」が請求項４における「第２記録モード」に該当する。パーソナルコンピュータ２００から受信した印刷データの「飛び散り防止フラグ」の値に従って、印刷モードを選択するＳ７２の処理を実行するＣＰＵ１１０が請求項４における「記録モード選択手段」に該当し、図１３に示すフローチャートのＳ７４〜Ｓ８４の処理を実行するＣＰＵ１１０が請求項４における「記録制御手段」に相当する。
【産業上の利用可能性】
【００９０】
本発明のインクジェット記録装置は、上記実施の形態のようなインクジェットプリンタに限らず、カラー印刷を行う複写機やファクシミリにも適応可能である。
【図面の簡単な説明】
【００９１】
【図１】インクジェット記録装置１の全体的な構成を示した斜視図である。
【図２】操作パネル２８のイメージ図である。
【図３】インクジェット記録装置１の電気的な構成を示すブロック図である。
【図４】ＲＯＭ１２０の記憶エリアを示す模式図である。
【図５】ＲＡＭ１３０の記憶エリアを示す模式図である。
【図６】パーソナルコンピュータ２００の電気的構成を示すブロック図である。
【図７】パーソナルコンピュータ２００のＲＡＭ２３０の模式図である。
【図８】パーソナルコンピュータ２００のＨＤＤ２５０の模式図である。
【図９】第１の実施の形態における印刷処理のフローチャートである。
【図１０】印刷データの一例である印刷データ３００の模式図である。
【図１１】印刷画面の一例である印刷画面４００のイメージ図である。
【図１２】印刷データ作成プログラムのフローチャートである。
【図１３】第２の実施の形態における印刷処理のフローチャートである。
【符号の説明】
【００９２】
１  インクジェット記録装置
２０  キャリッジ
２１ａ  ブラックインク用インクジェットヘッド
２１ｂ  シアンインク用インクジェットヘッド
２１ｃ  マゼンタインク用インクジェットヘッド
２１ｄ  イエローインク用インクジェットヘッド
２８  操作パネル
１１０  ＣＰＵ
１３１  受信印刷データ記憶エリア
１３２  印刷中データ記憶エリア
１３３  設定情報記憶エリア
１７１  飛び散り防止設定ランプ
１８１  飛び散り防止設定ボタン
２００  パーソナルコンピュータ
２１０  ＣＰＵ
２３２  印刷データ記憶エリア
３００  印刷データ
４００  印刷画面
【図１】
2005199523.tif 000003
【図２】
2005199523.tif 000004
【図３】
2005199523.tif 000005
【図４】
2005199523.tif 000006
【図５】
2005199523.tif 000007
【図６】
2005199523.tif 000008
【図７】
2005199523.tif 000009
【図８】
2005199523.tif 000010
【図９】
2005199523.tif 000011
【図１０】
2005199523.tif 000012
【図１１】
2005199523.tif 000013
【図１２】
2005199523.tif 000014
【図１３】
2005199523.tif 000015